(57)【要約】【課題】放送信号受信装置が受信する放送番組に挿入されているＣＭを、適切なアドレッサブル広告（差し替えＣＭ）に差し替えて表示する放送信号送信装置および放送信号送信方法を提供する。【解決手段】本発明の実施形態に係る放送信号送信装置は、放送する番組を放送信号で送信する放送信号送信装置において、前記番組に挿入する広告の時間に関する情報を含む時間枠情報を、前記放送信号で送信する放送信号送信装置である。【選択図】図１
2020107995.tif 000002
【特許請求の範囲】
【請求項１】
放送する番組を放送信号で送信する放送信号送信装置において、
前記番組に挿入する広告の時間に関する情報を含む時間枠情報を、前記放送信号で送信する放送信号送信装置。
【請求項２】
前記時間枠情報は、前記広告の、放送開始時刻と放送時間長あるいは放送開始時刻と放送終了時刻、を含む請求項１に記載の放送信号送信装置。
【請求項３】
放送する番組を放送信号で送信する放送信号送信装置における放送信号送信方法において、
前記番組に挿入する広告の時間に関する情報を含む時間枠情報を、前記放送信号で送信する放送信号送信方法。
【発明の詳細な説明】
【技術分野】
【０００１】
本発明の実施形態は、放送信号送信装置および放送信号送信方法に関する。
【背景技術】
【０００２】
ネットワークに接続可能な放送信号受信装置の中には、視聴者の属性に合わせた最適な広告を表示させるアドレッサブル広告（差し替えＣＭ）を表示する機能を備えているものがある。このようなアドレッサブル広告（差し替えＣＭ）を表示する機能は、放送信号受信装置の視聴者個々に対する独自のサービスを可能にしている。
【先行技術文献】
【特許文献】
【０００３】
【特許文献１】特開２０１８−３７９３５号公報
【非特許文献】
【０００４】
【非特許文献１】「デジタル放送におけるＭＭＴによるメディアトランスポート方式  標準規格」  ARIB STD-B60 1.13版  2018年10月11日改定、一般社団法人  電波産業会
【非特許文献２】「高度広帯域衛星デジタル放送運用規定」  ARIB TR-B39 1.9版  2018年10月11日改定、一般社団法人  電波産業会
【発明の概要】
【発明が解決しようとする課題】
【０００５】
放送信号受信装置において、放送信号で送られてくる番組に挿入されている広告（ＣＭ、コマーシャルメッセージ）をアドレッサブル広告（差し替えＣＭ）に置き換えて、視聴者個々に対して的確に行うためには、番組に挿入されているＣＭ（コマーシャルとも言う）に応じて適切な制御を行う必要がある。
【０００６】
そこで本発明の実施形態は、放送信号受信装置が受信する放送番組に挿入されているＣＭを、適切なアドレッサブル広告（差し替えＣＭ）に差し替えて表示するために、放送信号の中にＣＭの時間に関する情報を含めて送信する放送信号送信装置および放送信号送信方法を提供することである。
【課題を解決するための手段】
【０００７】
本発明の実施形態に係る放送信号送信装置は、
放送する番組を放送信号で送信する放送信号送信装置において、
前記番組に挿入する広告の時間に関する情報を含む時間枠情報を、前記放送信号で送信する放送信号送信装置である。
【図面の簡単な説明】
【０００８】
【図１】図１は、本発明の実施形態に係る広告差し替え処理部を含むアドレッサブル広告システムの構成例を示す図である。
【図２】図２は、放送局（放送信号送信装置）の構成例を概略的に示す図である。
【図３】図３は、本発明の実施形態に係る広告差し替え処理部を含む放送信号受信装置（手段）の構成を概略的に示す図である。
【図４Ａ】図４Ａは、本発明の実施形態に係る広告差し替え処理部が行う、番組に挿入されているＣＭをアドレッサブル広告（差し替えＣＭ）に置き換えるための処理の概要を示す図である。
【図４Ｂ】図４Ｂは、本発明の実施形態に係る広告差し替え処理部が取得するＣＭ時間枠情報記述子のフォーマットの一例である。
【図４Ｃ】図４Ｃは、本発明の実施形態に係る広告差し替え処理部の構成例を概略的に示す図である。
【図４Ｄ】図４Ｄは、本発明の実施形態に係る広告差し替え処理部の制御部が作成するＣＭリストの一例を示す図である。
【図４Ｅ】図４Ｅは、本発明の実施形態に係る広告差し替え処理部が行う、アドレッサブル広告（差し替えＣＭ）に差し替える処理の一例を示す処理フローである。
【発明を実施するための形態】
【０００９】
以下、実施の形態について図面を参照して説明する。
図１は、本発明の実施形態に係る広告差し替え処理部を含むアドレッサブル広告システムの構成例を示す図である。
アドレッサブル広告システムは、放送局（放送信号送信装置）１００、放送信号受信装置１４０、ＣＭ配信用サーバ１２０を含む。放送信号受信装置１４０は、放送局（放送信号送信装置）１００が放送する番組を受信するとともに、本発明の実施形態に係る広告差し替え処理部を含む。放送局１００および放送信号受信装置１４０は、ネットワーク１３０を介してＣＭ配信用サーバ１２０と接続されている。
【００１０】
放送局１００は、番組を編成し、編成した番組を放送信号により放送信号受信装置１４０に放送する局である。放送局１００は、放送信号送信装置とも呼ぶ。
放送局１００は、広告会社１１０が製作したＣＭを、保存して管理するＣＭ管理サーバ１０１を有する。放送局１００は、ＣＭ管理サーバ１０１に保存されているＣＭ(Commercial Message)を、放送する番組の途中に挿入して編成し一連の映像ストリームおよび音声ストリームとして、放送信号により放送信号受信装置１４０に放送（送信）する。なお広告会社１１０は、例えば契約に基づく広告主１１１からの依頼により広告を製作し、製作したＣＭを放送局１００のＣＭ管理サーバ１０１に登録する。
【００１１】
また放送局１００は、またネットワーク１３０と接続する機能を有し、ネットワーク１３０を介してＣＭ配信用サーバ１２０と接続している。
また放送局１００は、ＳＩ信号を含めた放送信号を送信する。ＳＩ信号については、図２を用いて説明する。放送局１００は、本発明の実施形態に係る放送信号受信装置１４０に含まれる広告差し替え処理部が、放送番組に挿入されているＣＭをアドレッサブル広告（差し替えＣＭ）に差し替えるために必要なＣＭの時間に関する情報（ＣＭ時間枠情報と呼ぶ）を、ＳＩ信号に含めて送信する。放送局１００は、ＣＭ時間枠情報を例えばＣＭ時間枠情報記述子として生成する。放送局１００が作成するＣＭ時間枠情報記述子のフォーマットの一例を、図４Ｂに示す。
【００１２】
ＣＭ配信用サーバ１２０は、ネットワーク１３０を介して接続されたＣＭ管理サーバ１０１から送られてきたアドレッサブル広告（差し替えＣＭ）を蓄積し、放送信号受信装置１４０からの要求に応じて蓄積しているアドレッサブル広告（差し替えＣＭ）を配信するサーバである。
【００１３】
放送信号受信装置１４０は、放送局１００から放送信号により放送される番組を受信する受信装置である。また放送信号受信装置１４０は、ネットワーク１３０と接続する機能を有し、ネットワーク１３０を介してＣＭ配信用サーバ１２０と接続している。放送信号受信装置１４０は、ＣＭ配信用サーバ１２０から配信されるアドレッサブル広告（差し替えＣＭ）を、管理する記録媒体１６０に保存する。
【００１４】
またさらに放送信号受信装置１４０は、本発明の実施形態に係る広告差し替え処理部を含む。放送信号受信装置１４０は、広告差し替え処理部による処理結果に従って記録媒体１６０に保存されているアドレッサブル広告（差し替えＣＭ）の中から最適なアドレッサブル広告（差し替えＣＭ）を選択して表示画面に表示する機能を有する。放送信号受信装置１４０は、番組に挿入されているＣＭの時間枠に一致する長さを持つアドレッサブル広告（差し替えＣＭ）のうち、視聴者に最適な内容のアドレッサブル広告（差し替えＣＭ）選択し、番組に挿入されているＣＭの時間枠に当てはめて表示することで、番組を視聴する視聴者ごとに異なる広告を提供することができる。
【００１５】
図２は、放送局（放送信号送信装置）１００の構成例を概略的に示した図である。放送局（放送信号送信装置）１００は、ＣＭ管理サーバ１０１に蓄えられているＣＭを挿入して編成した番組の映像データや音声データ等を符号化（エンコードとも呼ぶ）して放送信号として送出する。
【００１６】
データ放送エンコーダ２１０は、編成された番組に関連するデータ放送のデータを符号化する機能を持つ。データ放送エンコーダ２１０は、データ放送のデータを符号化する。
映像エンコーダ２１１は、編成された番組の映像データを符号化する機能を持つ。映像エンコーダ２１１は、編成された番組の映像データを符号化する。
【００１７】
音声エンコーダ２１２は、編成された番組の音声データを符号化する機能を持つ。音声エンコーダ２１２は、編成された番組の音声データを符号化する。
字幕エンコーダ２１３は、編成された番組の字幕データを符号化する機能を持つ。字幕エンコーダ２１３は、編成された番組の字幕データを符号化する。
【００１８】
制御情報生成手段２１４は、ＴＬＶパケットおよびＭＭＴの制御情報を生成する機能を持つ。ＴＬＶパケットの制御情報とは、ＩＰパケットの多重に関する制御情報（ＴＬＶ-ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ-ＳＩとも呼ばれる）である。制御情報生成手段２１４は、音声エンコーダ２１２、映像エンコーダ２１１がエンコード対象とした番組に関する制御情報を含むＴＬＶパケットおよびＭＭＴの制御情報の信号を生成する。
【００１９】
また制御情報生成手段２１４は、ＭＭＴ−ＳＩとして、ＣＭ時間枠情報記述子を生成する。
スクランブラ２１５は、音声エンコーダ２１２から出力された符号化された音声データ、映像エンコーダ２１１から出力された符号化された映像データを、ＣＡＳモジュール２１６と連携してスクランブルする機能を持つ。
【００２０】
ＣＡＳモジュール２１６は、スクランブラ２１５がスクランブルする際に使用する鍵を生成するモジュールである。
マルチプレクサ２１７は、データ放送エンコーダ２１０が符号化して生成したデータ放送ストリーム、映像エンコーダ２１１が映像データを符号化して生成した映像ストリーム、音声エンコーダ２１２が音声データを符号化して生成した音声ストリーム、字幕エンコーダ２１３が字幕データを符号化して生成した字幕ストリームおよび制御情報生成手段２１４で生成された制御情報を、ＭＭＴ・ＴＬＶ方式で多重する機能を持つ。マルチプレクサ２１７は、音声ストリーム、映像ストリーム、ＴＬＶパケットおよびＭＭＴの制御情報を多重化したＴＬＶストリームを生成する。
【００２１】
送信手段２１８は、ＴＬＶストリームからなる放送信号を放送波として送出する機能を持つ。送信手段２１８は、マルチプレクサ２１７が生成したＴＬＶストリームを、１６ＡＰＳＫなどの変調や誤り訂正符号化などの伝送路符号化処理を行い放送波として送出する。
【００２２】
図３は、本発明の実施形態に係る広告差し替え処理部を含む放送信号受信装置（手段）１４０の構成を概略的に示した図である。
放送信号受信装置１４０は、放送信号を受信する受信機能である基本機能３４１と制御手段３４２を含む。
基本機能３４１は、放送チューナ３０１、デマルチプレクサ３０２、デスクランブラ３０３、ＣＡＳモジュール３０４、データ放送エンジン３０５、映像デコーダ３０６、音声デコーダ３０７、字幕デコーダ３０８、制御情報解析手段３０９、ＧＵＩ３２０、合成器３２６を含む。
【００２３】
チューナ３０１は、放送波で送られてきた放送信号（ＴＬＶストリーム）を受信する機能を持つ。チューナ３０１で受信した放送信号は、デマルチプレクサ３０２に入力される。
デマルチプレクサ３０２は、多重化されているＴＬＶストリームをデータ放送ストリーム、映像ストリーム、音声ストリーム、字幕ストリーム、制御情報に分離する機能を持つ。デマルチプレクサ３０２は、分離したデータ放送ストリーム、映像ストリーム、音声ストリーム、データ放送ストリーム、字幕ストリームをデスクランブラ３０３に、制御情報であるＳＩ信号を制御情報解析手段３０９にそれぞれ入力する。
【００２４】
デスクランブラ３０３は、入力されたデータ放送ストリーム、映像ストリーム、音声ストリーム、字幕ストリームを、ＣＡＳモジュール３０４と連携してデスクランブルする機能を持つ。デスクランブラ３０３は、デスクランブルしたデータ放送ストリームをデータ放送エンジン３０５に、映像ストリームを映像デコーダ３０６に、音声ストリームを音声デコーダ３０７に、字幕ストリームを字幕デコーダ３０８にそれぞれ入力する。
【００２５】
ＣＡＳモジュール３０４は、デスクランブラ３０３でデスクランブルする際に使用するキーを生成する機能を持つ。
データ放送エンジン３０５は、入力されたデータ放送ストリームの受信処理を行う機能を持つ。データ放送エンジン３０５は、受信したデータ放送ストリームを表示手段３５０に表示するデータに変換して合成器３２６に送る。合成器３２６に送られたデータ放送用のデータは、映像データ等と合成され、表示手段３５０に表示される。
【００２６】
映像デコーダ３０６は、入力された映像ストリームを復号化（デコード）する機能を持つ。映像デコーダ３０６は、映像ストリームを復号し表示手段３５０に表示する信号を生成する。
音声デコーダ３０７は、入力された音声ストリームを復号化する機能を持つ。音声デコーダ３０７は、音声ストリームを復号しスピーカ３５１に出力する信号を生成する。
【００２７】
字幕デコーダ３０８は、字幕ストリームを復号化し、表示手段３５０に表示する信号を生成する。
復号化された映像信号および字幕信号およびデータ放送用信号は、合成器３２６で合成され表示手段３５０に出力される。また復号化された音声信号は、スピーカ３５１に出力される。
【００２８】
制御情報解析手段３０９は、放送信号の制御情報であるＳＩ信号の解析を行う。制御情報解析手段３０９は、ＳＩ信号の解析を行うと、その解析結果を制御手段３４２に送る。制御情報解析手段３０９は、デマルチプレクサ３０２から送られてきたＳＩ信号の解析しＣＭ時間枠情報記述子を抽出する。制御情報解析手段３０９は、抽出したＣＭ時間枠情報記述子を制御手段３４２に送る。
【００２９】
制御手段３４２は、放送信号受信装置１４０の全体的な動作の制御を行う。また制御手段３４２は、本発明の実施形態に係る広告差し替え処理部３３０を内部に持ち、広告差し替え処理部３３０の制御を行う。また制御手段３４２は、ネットワーク１３０とのＩ／ＦであるネットワークＩ／Ｆ３３１および外部機器との接続Ｉ／Ｆである外部入力Ｉ／Ｆ３３２の制御も行う。
【００３０】
また制御手段３４２は、制御情報解析手段３０９から送られてきたＣＭ時間枠情報記述子を広告差し替え処理部３３０に送り、番組に挿入されているＣＭを広告差し替え処理部３３０が出力したアドレッサブル広告（差し替えＣＭ）に置き換えて表示手段３５０に表示する制御も行う。
【００３１】
広告差し替え処理部３３０は、番組に挿入されている広告をアドレッサブル広告（差し替えＣＭ）に置き換えるための処理を行う。
広告差し替え処理部３３０が行う、番組に挿入されているＣＭをアドレッサブル広告（差し替えＣＭ）に置き換えるための処理の概要を、図４Ａに示す。また広告差し替え処理部３３０が、番組に挿入されているＣＭをアドレッサブル広告（差し替えＣＭ）に置き換えるための処理に用いるＣＭ時間枠情報記述子のフォーマットの一例を、図４Ｂに示す。また広告差し替え処理部３３０の構成の一例を、図４Ｃに示す。また広告置き換え処理部３３０が、ＣＭ時間枠情報記述子の情報を用いて、番組に挿入されているＣＭをアドレッサブル広告（差し替えＣＭ）に置き換えるための処理の一例を、図４Ｅに示す。
【００３２】
図４Ａは、広告差し替え処理部３３０が行う、番組に挿入されているＣＭをアドレッサブル広告（差し替えＣＭ）に置き換えるための処理の概要を示す図である。
広告差し替え処理部３３０は、番組に挿入されているＣＭをアドレッサブル広告（差し替えＣＭ）に置き換えるために、番組に挿入されているＣＭの情報として、ＣＭの表示が開始される時間や表示されている長さ等の情報（ＣＭ時間枠情報）、また番組に挿入されているＣＭに差し替えて表示するアドレッサブル広告の情報として、アドレッサブル広告が表示されている長さの情報等を取得する必要がある。
【００３３】
広告差し替え処理部３３０は、制御情報解析手段３０９を介してＳＩ信号に含まれるＣＭ時間枠情報を取得することができる。
また広告差し替え処理部３３０は、ＣＭ配信用サーバ１２０に対して任意のタイミングでアドレッサブル広告（差し替えＣＭ）を要求することができる。広告差し替え処理部３３０は、送信した要求に応答してＣＭ配信用サーバ１２０から送られてきたアドレッサブル広告（差し替えＣＭ）およびアドレッサブル広告が表示されている長さの情報等の属性情報を受信し、記録媒体１６０に保存することが出来る。
【００３４】
広告差し替え処理部３３０がＣＭ配信用サーバ１２０にアドレッサブル広告（差し替えＣＭ）を要求する方法は、広告差し替え処理部３３０が例えばアドレッサブル広告（差し替えＣＭ）のダウンロード要求メッセージをＣＭ配信用サーバ１２０に送信することで、メッセージを受信したＣＭ配信用サーバ１２０が、アドレッサブル広告（差し替えＣＭ）を広告差し替え処理部３３０にダウンロードしてもよいし、広告差し替え処理部３３０が例えばアドレッサブル広告（差し替えＣＭ）のダウンロード開始時刻を含むダウンロード要求メッセージをＣＭ配信用サーバ１２０に送信することで、メッセージを受信したＣＭ配信用サーバ１２０が、メッセージに含まれる時刻に達したタイミングで、アドレッサブル広告（差し替えＣＭ）を広告差し替え処理部３３０にダウンロードしてもよい。
【００３５】
広告差し替え処理部３３０がＣＭ配信用サーバ１２０にアドレッサブル広告（差し替えＣＭ）を要求する機能は、予め放送信号受信装置１４０の中に備わっていてもよいし、放送信号に含まれる制御情報（ＴＬＶ−ＳＩやＭＭＴ−ＳＩ）に含まれる情報をもとに、放送信号受信装置１４０が、特定のサーバ（記載せず）にアクセスし取得してもよい。このように、放送信号受信装置１４０が放送信号に含まれる制御情報（ＴＬＶ−ＳＩやＭＭＴ−ＳＩ）に含まれる情報をもとに、放送信号受信装置１４０が、特定のサーバ（記載せず）にアクセスしＣＭ配信用サーバ１２０にアドレッサブル広告（差し替えＣＭ）を要求する機能を取得する形態として、例えばデータコンテンツサービスと呼ばれるサービスを用いてもよいし、それ以外のサービスを用いてもよい。
【００３６】
図４Ｂは、本発明の実施形態に係る広告差し替え処理部３３０が取得するＣＭ時間枠情報記述子のフォーマットの一例である。
ＣＭ時間枠情報記述子は、例えば非特許文献１に記載のＭＨ−ＥＩＴ(ＭＨ−Event Information Table)に配置される記述子の１つであってもよい。
【００３７】
図４Ｂ（Ａ）は、非特許文献１に記載のＭＨ−ＥＩＴのフォーマットである。Descriptor()４０１に配置される記述子の１つとして、ＣＭ時間枠情報記述子が配置される。
図４Ｂ（Ｂ）は、ＣＭ時間枠情報記述子のフォーマットの一例である。
【００３８】
descriptor_tag４１０は、記述子を識別するタグである。
descriptor_length４１１は、このフィールドより後に続くデータバイト数を書き込む領域である。
４２０は、番組に挿入されるＣＭのＣＭ時間枠情報である。ＣＭ時間枠情報は、cm_id４２１、start_time４２２、duration４２３、replace_flag４２４、ISO_639_language_code４２５、cm_name_length４２６、cm_name_char４２７を含む。
【００３９】
cm_id４２１は、１つの番組内で（１つのevent_idにおいて）ＣＭを識別する識別子である。
start_time４２２は、ＣＭの放送が開始される開始時刻である。
duration４２３は、ＣＭが放送される時間の長さである。
【００４０】
replace_flag４２４は、アドレッサブル広告に差し替えが可能不可能を示すフラグである（０：不可、１：可能）。
ISO_639_language_code４２５は、ＣＭ名の言語コードである。
cm_name_length４２６は、ＣＭ名の文字数である。
【００４１】
cm_name_char４２７は、ＣＭ名である。
ＣＭ時間枠情報４２０は、event_id４００に示される番組に挿入される全てのＣＭ時間枠情報を含んでいる。event_id４００に示される番組に挿入されるＣＭが、例えば４つだとする。この場合４３１のＮは４となる。これによりＣＭ時間枠情報４２０は、event_id４００に示される番組に挿入される４つのＣＭのＣＭ時間枠情報全てを含む。
【００４２】
図４Ｃは、本発明の実施形態に係る広告差し替え処理部３３０の構成例を概略的に示す図である。広告差し替え処理部３３０は、制御部３３０−１と解析部３３０−２を含む。
制御部３３０−１は、広告差し替え処理部３３０の全体の動作を制御するとともに、解析部３００−２を制御することで、放送番組に含まれるＣＭを差し替えるアドレッサブル広告（差し替えＣＭ）を決定し、決定したアドレッサブル広告（差し替えＣＭ）を放送信号受信装置１４０の表示手段３５０に表示させる。
【００４３】
また制御部３３０−１は、ＣＭ配信用サーバ１２０から差し替えＣＭの候補である複数のアドレッサブル広告を取得して記録媒体１６０に保存する。また制御部３３０−１は、取得したＣＭ時間枠情報から、ＣＭリストを作成して記録媒体１６０に保存する。制御部３３０−１が作成するＣＭリストの一例を図４Ｄに示す。
【００４４】
解析部３３０−２は、記録媒体１６０に保存されているＣＭリストを解析し、ＣＭリストに記載されているＣＭが、アドレッサブル広告（差し替えＣＭ）に差し替え可能かどうかを判断する。
図４Ｄは、本発明の実施形態に係る広告差し替え処理部３３０の制御部３３０−１が作成するＣＭリストの一例を示す図である。制御部３３０−１は、制御情報解析手段３０９を介して取得したＣＭ時間枠情報をもとに、ＣＭリスト４５０を作成する。ＣＭリスト４５０は、番組(Event)の識別子でＥｖｅｎｔ＿ＩＤ４５１、ＣＭの識別子であるＩＤ４５２、ＣＭの放送が開始される開始時刻であるＳｔａｒｔ＿ｔｉｍｅ４５３、ＣＭが放送される時間の長さであるｄｕｒａｔｉｏｎ４５４、アドレッサブル広告に差し替えが可能か否かを示すｅｎａｂｌｅ４５５を含む。制御部３３０−１は、event_id４００をもとにＥｖｅｎｔ＿ＩＤ４５１を作成する。制御部３３０−１は、cm_id４２１をもとにＣＭ＿ＩＤ４５１を作成する。また制御部３３０−１は、start_time４２２をもとにＳｔａｒｔ＿ｔｉｍｅ４５２を作成する。また制御部３３０−１は、duration４２３をもとにｄｕｒａｔｉｏｎ４０３を作成する。また制御部３３０−１は、replace_flag４２４をもとにｅｎａｂｌｅ４０４を作成する。
【００４５】
例えば４１０は、Ｅｖｅｎｔ＿ＩＤ４５１が２２であり、ＣＭ＿ＩＤ４５２が０１である。また４１０は、Ｓｔａｒｔ＿ｔｉｍｅが２０１８１２１５２０１５００である。Ｓｔａｒｔ＿ｔｉｍｅのフォーマットは、例えば最初の８桁の２０１８１２１５が西暦で年月日（ｙｙｙｙｍｍｄｄ）を表し、次の６桁の２０１５００が時分秒（ｈｈｍｍｓｓ）を表している。また４１０は、ｄｕｒａｔｉｏｎが１５である。また４１０は、ｅｎａｂｌｅが０である。ＣＭリストは、図４Ｄに記載以外に、ＣＭ名等が含まれていてもよい。
【００４６】
図４Ｅは、本発明の実施形態に係る広告差し替え処理部３３０が行う、アドレッサブル広告（差し替えＣＭ）に差し替える処理の一例を示す処理フローである。
放送信号受信装置１４０が放送番組の受信を開始すると、広告差し替え処理部３３０は、受信した番組に含まれるＣＭをアドレッサブル広告に差し替えるための処理を開始する（Ｓ４００）。
【００４７】
広告差し替え処理部３３０の制御部３３０−１は、ＣＭリストが保存されている記録媒体１６０にアクセスし、更新されたＣＭリストが存在しているかを確認する（Ｓ４０１）。
確認の結果更新されたＣＭリストが存在している場合（Ｓ４０２のＹｅｓ）、制御部３３０−１は、記録媒体１６０から更新されたＣＭリストを取得して保持する（Ｓ４０３）。
【００４８】
確認の結果更新されたＣＭリストが存在していない場合（Ｓ４０２のＮｏ）、制御部３３０−１は、記録媒体１６０に更新されたＣＭリストが保存されるまで連続して、あるいは一定時間待ちながら確認処理（Ｓ４０１）を繰り返す。
次に制御部３３０−１は、保持しているＣＭリストの中から、放送信号受信装置１４０の表示手段３５０に表示されている番組、つまり視聴者が視聴している番組に含まれるＣＭのｓｔａｒｔ＿ｔｉｍｅを取得し、現在時刻がｓｔａｒｔ＿ｔｉｍｅに達しているかの確認を行う（Ｓ４０４）。
【００４９】
確認（Ｓ４０４）の結果現在時刻がｓｔａｒｔ＿ｔｉｍｅに達している場合（Ｓ４０５のＹｅｓ）、制御部３３０−１は、表示手段３５０に表示されている番組に挿入されているＣＭの代わりに、表示可能な置き換え用ＣＭ（アドレッサブル広告）が存在するかを解析部３３０−２に問い合わせて確認する（Ｓ４０６）。
【００５０】
解析部３３０−２に問い合わせて確認（Ｓ４０６）した結果、置き換え用ＣＭ（アドレッサブル広告）が存在する場合（Ｓ４０７のＹｅｓ）、制御部３３０−１は、該当する置き換え用ＣＭ（アドレッサブル広告）を解析部３３０−２から取得し、番組に挿入されているＣＭの代わりに、表示手段３５０に表示させる（Ｓ４０８）。
【００５１】
解析部３３０−２に問い合わせて確認（Ｓ４０６）した結果、置き換え用ＣＭ（アドレッサブル広告）が存在しない場合（Ｓ４０７のＮｏ）、番組に挿入されているＣＭをそのまま、表示手段３５０に表示させる（Ｓ４０９）。
確認（Ｓ４０４）の結果現在時刻がｓｔａｒｔ＿ｔｉｍｅに達していない場合（Ｓ４０５のＮｏ）、制御部３３０−１は、現在時刻がｓｔａｒｔ＿ｔｉｍｅに達するまでＳ４０４の確認処理を繰り返す。
【００５２】
該当する置き換え用ＣＭ（アドレッサブル広告）が存在しない、とは、たとえばＣＭリスト４５０に記載のあるＣＭのｄｕｒａｔｉｏｎ４０３に一致する差し替え用ＣＭ（アドレッサブル広告）が存在しない場合やｅｎａｂｌｅが１（置き換え可能）のＣＭがＣＭリスト４００の中に存在しない場合であってもよい。
【００５３】
また解析部３３０−２が、例えば表示手段３５０に表示中の番組を視聴している視聴者を推定する機能を持ち（図示せず）、その推定した視聴者に最適なＣＭが存在しないと判断した場合であってもよい。
次に制御部３３０−１は、現在時刻がＣＭの表示終了時刻に達したかを確認（Ｓ４１０）する。表示終了時刻は、ｓｔａｒｔ＿ｔｉｍｅとｄｕｒａｔｉｏｎから算出することができる。
【００５４】
確認（Ｓ４１０）の結果現在時刻がＣＭの表示終了時刻に達している場合（Ｓ４１１のＹｅｓ）、制御部３３０−１は、表示終了時刻に達したＣＭに継続して表示するＣＭが存在するかを、解析部３３０−２に問い合わせて確認する（Ｓ４１２）。
解析部３３０−２に問い合わせて確認（Ｓ４１２）した結果、表示終了時刻に達したＣＭに継続して表示するＣＭが存在する場合（Ｓ４１３のＹｅｓ）、制御部３３０−１は、Ｓ４０６の処理に戻り、表示終了時刻に達したＣＭの次のＣＭの代わりに表示可能な差し替え用ＣＭ（アドレッサブル広告）が存在するかの問い合わせを行う（Ｓ４０６）。
【００５５】
解析部３３０−２に問い合わせて確認（Ｓ４１２）した結果、表示終了時刻に達したＣＭに継続して表示するＣＭが存在しない場合（Ｓ４１３のＮｏ）、制御部３３０−１は、表示手段３５０に表示中の番組に、以降のタイミングでＣＭを表示するかを解析部３３０−２に問い合わせて確認する（Ｓ４１４）。
【００５６】
解析部３３０−２に問い合わせて確認（Ｓ４１４）した結果、以降のタイミングでＣＭを表示する場合（Ｓ４１５のＹｅｓ）、制御部３３０−１は、Ｓ４０５の処理に戻り、以降のタイミングで表示されるＣＭに対して、差し替え用のＣＭが存在するかの処理を継続する。
【００５７】
解析部３３０−２に問い合わせて確認（Ｓ４１４）した結果、以降のタイミングでＣＭを表示しない場合（Ｓ４１５のＮｏ）、制御部３３０−１は、Ｓ４０２の処理に戻り、新たな番組に挿入されているＣＭに対して、差し替え用のＣＭが存在するかの処理を継続する。
【００５８】
このように制御部３３０−１は、ＣＭリスト４００を参照することで、放送されている番組に挿入されている全てのＣＭに対して、差し替え用ＣＭ（アドレッサブル広告）が存在するかの確認を行う。
なおＳ４１２の、継続して表示するＣＭが存在するかの確認は、図４Ｂに示すＣＭリスト４００を例にすると、４１２の情報のＣＭに対して、４１３の情報のＣＭを確認することである。４６２の情報のＣＭと４６３の情報のＣＭは、Ｅｖｅｎｔ＿ＩＤ番号で示されるように同一の番組において、Ｓｔａｒｔ＿ｔｉｍｅおよびｄｕｒａｔｉｏｎで示されるように連続して（継続して）放送されるＣＭである。
【００５９】
またＳ４１４の、以降のタイミングでＣＭを表示するかの確認は、図４Ｂに示すＣＭリスト４００を例にすると、４１４の情報のＣＭの表示が終了した時点で、４１５の情報のＣＭを確認することである。４１４の情報のＣＭおよび４１５の情報のＣＭは、Ｅｖｅｎｔ＿ＩＤ番号で示されるように同一の番組において放送されるＣＭであり、４１５の情報のＣＭは、Ｓｔａｒｔ＿ｔｉｍｅおよびｄｕｒａｔｉｏｎで示されるように４１４の情報のＣＭに連続（継続）しないで放送されるＣＭである。
【００６０】
なお図４Ｅに示す処理フローは、ＥＩＴ、ＣＭ時間枠情報記述子からＣＭリストを作成して処理するフローを提示したが、ＥＩＴやＣＭ時間枠情報記述子のテーブルをそのまま記録媒体１６０等へ保持しておき、直接参照しながら動作してもよい。
図を用いて本発明の実施形態に係る広告差し替え処理部３３０および広告差し替え処理部３３０を含むアドレッサブル広告システムの例を説明したが、上述した例に限定されない。
【００６１】
図１に示したアドレッサブル広告システムの構成例では、放送局（放送信号送信装置）１００は、ＭＭＴ・ＴＬＶ方式で多重された放送波を送信し、放送信号受信装置１４０は、ＭＭＴ・ＴＬＶ方式で多重された放送波を受信する場合を例に説明したが、放送波がＭＰＥＧ−２方式で多重されたものであってもよい。この場合ＣＭ時間枠情報記述子は、ＥＩＴ(Event Information Table)に配置される記述子の１つであってもよい。あるいはまた図１に示したアドレッサブル広告システムの構成例では、放送局（放送信号送信装置）１００は、ネットワーク１３０を介して、番組コンテンツを放送信号受信装置１４０に配信してもよい。
【００６２】
また図１に示したアドレッサブル広告システムの構成例では、放送信号受信装置１４０が１つだけ含まれている例であるが、複数含まれていてもよい。さらにアドレッサブル広告システムは、放送信号受信装置１４０の各々が持つ機器ＩＤにより、ネットワーク１３０を介して放送信号受信装置１４０を管理し、各々の放送信号受信装置１４０に対して独自のサービスを提供する管理サーバを含んでもよい。
【００６３】
以上のように、本発明の実施形態に係る広告差し替え処理部３３０を含む放送信号受信装置１４０は、放送信号に含まれるＣＭ時間枠情報記述子のＣＭ時間枠情報に基づいて、表示手段３５０に表示している番組のＣＭすべてに対してアドレッサブル広告（差し替えＣＭ）に差し替えが可能かどうかを判断し、差し替えが可能なＣＭに対しては、アドレッサブル広告（差し替えＣＭ）に差し替えて表示手段３５０に表示することが可能である。
【００６４】
これにより本発明の実施形態に係る放送信号受信装置は、放送信号に含まれるＣＭ時間枠情報だけで、番組挿入されているＣＭに応じて、適切にアドレッサブル広告（差し替えＣＭ）に差し替えることが可能となる。
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００６５】
１００・・・放送局（放送信号送信装置）、１２０・・・ＣＭ配信用サーバ、１４０・・・放送信号受信装置、１６０・・・記録媒体。
【図１】
2020107995.tif 000003
【図２】
2020107995.tif 000004
【図３】
2020107995.tif 000005
【図４Ａ】
2020107995.tif 000006
【図４Ｂ】
2020107995.tif 000007
【図４Ｃ】
2020107995.tif 000008
【図４Ｄ】
2020107995.tif 000009
【図４Ｅ】
2020107995.tif 000010